(57)【要約】【課題】笠木の上に支柱を固定するビスが外部に露見しないため、外観的に仕上がりの体裁が向上すると共に、笠木と支柱の結合部分において防水性が優れ、構造が簡単で施工性に優れた手摺りの取り付け装置を提供する。【解決手段】上端に手摺り４を固定する支柱３の下端を笠木２の上面に、笠木２の下面側から支柱３にねじ込んだビス１７によって固定し、建物立ち上り部１の上面に固定した笠木取付け金具５とその上に被せる笠木２に、笠木２を笠木取付け金具５上に押し込むことによって互に係合する固定部を設け、この笠木２の下面で支柱３の直下位置に、下面が建物立ち上り部１の上面に当接する補強金具６を固定する。【選択図】図２
2006083658.tif 000002
【特許請求の範囲】
【請求項１】
上端に手摺りを固定する支柱の下端を笠木の上面に、笠木の下面側から支柱にねじ込んだビスによって固定し、前記笠木を取付ける建物立ち上り部の上面に笠木取付け金具を固定し、この笠木取付け金具とその上に被せる笠木に、笠木を笠木取付け金具上に押し込むことによって互に係合する固定部を設け、前記笠木の下面で支柱の直下位置に、下面が建物立ち上り部の上面に当接する補強金具を固定した手摺りの取り付け装置。
【請求項２】
上記補強金具が、断面が下向きコ字状で両側の下端部に接地板を設けた補強金具本体と、この補強金具本体の内部に納まる断面が角筒状となる増強材との組み合わせからなり、前記補強金具本体を笠木の下面に、その接地板が笠木の長さ方向に沿って両側に位置する配置で重ね、更にこの補強金具本体の内部中央に増強材を重ね、補強金具本体と増強材の重なり部分を支柱にねじ込むビスによって笠木に固定し、この状態で補強金具本体の接地板と増強材の下面が同一平面になっている請求項１に記載の手摺りの取り付け装置。
【発明の詳細な説明】
【技術分野】
【０００１】
この発明は、建物のバルコニーやベランダ等の立ち上り部の上端に、笠木を備えた手摺りを固定するための手摺りの取り付け装置に関する。
【背景技術】
【０００２】
図１に示すように、建物のバルコニーやベランダ等の立ち上り部１の上端は、防水のために笠木２で覆うと共に、笠木２の上に必要な高さの支柱３を立設してその上端に手摺り４を取付け、安全性を確保するようにしている。
【０００３】
従来、建物の立ち上り部に笠木とその上に手摺りを固定する取り付け装置の一般的な構造は、建物の立ち上り部の上面に支柱補強金具を所定間隔の配置で固定し、支柱補強金具の上に笠木を載せて立ち上がり部に被せ、下端に取付け座を設けた支柱を笠木上に重ね、取付け座の上面側から笠木を介して支柱補強金具にビスをねじ込むことによって支柱を笠木上に固定し、この支柱の上端に手摺りを固定するようになっている。
【０００４】
また、別の取り付け装置として、建物の立ち上り部の上面に支柱補強金具を所定間隔の配置で固定し、支柱補強金具の上に笠木を載せて立ち上がり部に被せ、この笠木の上面に載置した支柱取付け金具から支柱補強金具にビスをねじ込んで笠木を固定し、下端を支柱取付け金具に外嵌した支柱を支柱取付け金具にビスで固定するようにした構造や、建物の立ち上り部の上面に支柱取付け金具を所定間隔の配置で固定し、笠木に支柱取付け金具へ外嵌する角孔を設け、笠木の上に突出する支柱取付け金具に支柱の下端を嵌め込んでビスで固定する構造が提案されている（特許文献１と２参照）。
【特許文献１】特開平６−２１２７６６号公報
【特許文献２】特開平１０−１８３９２７号公報
【発明の開示】
【発明が解決しようとする課題】
【０００５】
ところで、上記した従来の取り付け装置は、笠木の上に支柱を固定するビスが露見するため、外観的に仕上がりの体裁が悪いだけでなく、笠木と支柱の結合部分において防水処理の必要が生じることになり、その分構造が複雑となって施工性が悪いという問題がある。
【０００６】
そこで、この発明の課題は、笠木の上に支柱を固定するビスが外部に露見しないため、外観的に仕上がりの体裁が向上すると共に、笠木と支柱の結合部分において防水性が優れ、構造が簡単で施工性に優れた手摺りの取り付け装置を提供することにある。
【課題を解決するための手段】
【０００７】
上記のような課題を解決するため、請求項１の発明は、上端に手摺りを固定する支柱の下端を笠木の上面に、笠木の下面側から支柱にねじ込んだビスによって固定し、前記笠木を取付ける建物立ち上り部の上面に笠木取付け金具を固定し、この笠木取付け金具とその上に被せる笠木に、笠木を笠木取付け金具上に押し込むことによって互に係合する固定部を設け、前記笠木の下面で支柱の直下位置に、下面が建物立ち上り部の上面に当接する補強金具を固定した構成を採用したものである。
【０００８】
請求項２の発明は、請求項１の発明において、上記補強金具が、断面が下向きコ字状で両側の下端部に接地板を設けた補強金具本体と、この補強金具本体の内部に納まる断面が角筒状となる増強材との組み合わせからなり、前記補強金具本体を笠木の下面に、その接地板が笠木の長さ方向に沿って両側に位置する配置で重ね、更にこの補強金具本体の内部中央に増強材を重ね、補強金具本体と増強材の重なり部分を支柱にねじ込むビスによって笠木に固定し、この状態で補強金具本体の接地板と増強材の下面が同一平面になっている構成を採用したものである。
【０００９】
ここで、笠木取付け金具は、建物立ち上り部の幅方向に長いベース板の中央に笠木受け板と、両端に上端が内側に向く弧状となる立ち上り壁を設け、この笠木取付け金具の上に被せる笠木の下面で両側の位置に、前記立ち上り壁に外接する係合片を設け、この係合片の下端と立ち上り壁の外面に、笠木を笠木取付け金具上に押し込むことによって互に係合する固定部が設けられている。
【００１０】
また、上記増強材は、断面が下向きコ字状の本体と、この本体の下端開口にスライド可能に取付けた蓋部材とによって形成され、蓋部材の下面が補強金具本体の接地板の下面と同一平面になっている。
【００１１】
更に、支柱は内部四隅にビスねじ込み溝が設けられた角筒に形成され、補強金具本体と増強材の重なり部分を四箇所の位置において支柱にねじ込むビスによって笠木に固定されるようになっている。
【発明の効果】
【００１２】
この発明によると、支柱の下端を笠木の上面に、笠木の下面側から支柱にねじ込んだビスによって固定したので、笠木の上に支柱を固定するビスが外部に露見しないため、外観的に仕上がりの体裁が向上すると共に、笠木と支柱を予め結合することにより、笠木を笠木取付け金具に被せて係止するだけで、笠木と支柱の取り付けが同時に行え、施工性が大幅に向上する。
【００１３】
また、笠木の上に支柱を固定するビスが支柱の内部に納まることで、笠木と支柱の結合部分の防水性が向上し、特に別途防水処理を施す必要がないので、構造の簡略化と施工性の向上が図れることになる。
【００１４】
更に、笠木の下面で支柱の直下位置に、下面が建物立ち上り部の上面に当接する補強金具を固定したので、支柱の起立強度が向上し、特に、補強金具の下面が建物立ち上り部の上面に当接することにより、支柱の前後及び左右方向の負荷に対する支持強度が向上し、安全性の面からも優れたものとなる。
【発明を実施するための最良の形態】
【００１５】
以下、この発明の実施の形態を添付図面に基づいて説明する。
【００１６】
図示のように、手摺りの取り付け装置は、建物立ち上り部１の上面に所定の間隔配置で固定する笠木取付け金具５と、この笠木取付け金具５の上に被せて取り付ける笠木２と、笠木２の上に立設する支柱３と、この支柱３の上端に固定する手摺り４と、前記笠木２の下面に固定する補強金具６で形成されている。
【００１７】
上記笠木２は、図２のように、建物立ち上り部１の上部を覆うことのできる幅の断面略下向きコ字状に、アルミ等の材料を用いて押出成形されている。
【００１８】
上記、笠木取付け金具５は、建物立ち上り部１の幅方向に長いベース板７の中央に上端が水平となる笠木受け板８と、両端に上端が内側に向く弧状となる立ち上り壁９を設け、ベース板７のビス孔１０から建物立ち上り部１にねじ込むビス１１によって、建物立ち上り部１に固定される。
【００１９】
この笠木取付け金具５の上に被せる上記笠木２の下面で両側の位置に、前記立ち上り壁９に外接する係合片１２を設け、この係合片１２の下端と立ち上り壁９の外面に、笠木２を笠木取付け金具５上に押し込むことによって互に係合する一対の固定部が設けられている。
【００２０】
図示の場合、この固定部は、立ち上り壁９に外面に設けた係合溝１３と、係合片１２の下端に設けた係合溝へ係止する係止突条１４の組み合わせによって形成され、笠木２を笠木取付け金具５上に押し込むことによって係合溝１３と係止突条１４が互に係合し、笠木２の下面中央が笠木受け板８で受けられることになる。
【００２１】
なお、立ち上り壁９には、係合溝１３の下に係合片１２の下降を阻止する支持壁１５が設けてある。
【００２２】
上記支柱３は、内部四隅の全長にビスねじ込み溝１６が設けられた角筒に形成され、笠木２の下面側から支柱３にねじ込んだビス１７によって、笠木２上に起立するよう固定され、その上端に手摺り４がビス１８のねじ込みによって固定される。図２の場合、支柱３の側面には、複数本の横格子１９をビス２０で固定した例を示している。
【００２３】
上記補強金具６は、図４のように、断面が下向きコ字状で両側の下端部に水平の接地板２１を設けたアルミ等の補強金具本体２２と、この補強金具本体２２の内部に納まる断面が角筒状となるアルミ等の増強材２３との組み合わせからなり、補強金具本体２２の上面四箇所と増強材２３の上面四箇所に、ビス１７の挿通孔２４と２５が設けられている。
【００２４】
上記増強材２３は、断面が下向きコ字状の本体２６と、この本体２６の下端開口にスライド可能に取付けた蓋部材２７とによって形成され、補強金具本体２２の内部に増強材２３を納めた状態で、蓋部材２７の下面が補強金具本体２２の接地板２１の下面と同一平面になっている。
【００２５】
上記補強金具本体２２は、笠木２の下面にその接地板２１が笠木２の長さ方向に沿って両側に位置する配置で重ね、更に、この補強金具本体２２の内部中央に増強材２３を重ね、補強金具本体２２と増強材２３の重なり部分を、四箇所の位置において、挿通孔２４と２５から支柱３にねじ込むビス１７によって笠木２に固定し、笠木２を笠木取付け金具５に被せた状態で、補強金具本体２２の接地板２１と増強材２３の下面が立ち上がり部１の上面に接地するようになっている。
【００２６】
なお、手摺り４は、支柱３の上端にビス１８で固定するベース部材４ａと、これに被せて取付けるカバー部材４ｂとの組み合わせによって形成されている。
【００２７】
この発明の手摺りの取り付け装置は、上記のような構成であり、建物の立ち上がり部１に手摺り４を取付けるには、図３のように、笠木２における支柱３の両側に笠木取付け金具５が位置するような配置で、立ち上がり部１の上面に笠木取付け金具５をビス１１で固定し、また、笠木２の下面には、補強金具本体２２と増強材２３を重ね、この重なり部分を四箇所の位置において、笠木２の上面に位置させた支柱３にビス１７をねじ込み、支柱３を笠木２に固定しておく。
【００２８】
上記笠木取付け金具５と増強材２３は、その長さ方向が立ち上がり部１の幅方向に沿う配置となるようにし、補強金具本体２２は、その接地板２１が笠木２の長さ方向に沿って両側に位置する配置にする。
【００２９】
次に、笠木２を笠木取付け金具５から立ち上がり部１に被せるようにすれば、笠木２の下面両側に設けた係止突条１４が笠木取付け金具５の立ち上り壁９に載り、この状態で、笠木２を笠木取付け金具５に向けて上から押し込むと、係止突条１４が立ち上り壁９の外面を強制的に通過し、係合溝１３と係止突条１４が互に係合し、係止突条１４が支持壁１５で下降しないよう支持され、これによって、笠木２の上方への抜け止めとなり、同時に笠木２の下面中央が笠木受け板８で受けられ、図２のように、立ち上がり部１の上にこれを覆うように笠木２が固定される。
【００３０】
上記のように、立ち上がり部１の上に笠木２を固定すると、同時にこの笠木２の上に支柱３が起立することになり、笠木２の固定と支柱３の固定が同時に行われることになり、この後、支柱３の上端に手摺り４をビス１８で固定し、側面に横格子１９をビス２０で固定すれば、立ち上がり部１に対する手摺り４の取り付けが完了する。
【００３１】
上記のように、建物の立ち上がり部１に固定した笠木取付け金具５に笠木２を被せて取付ければ、笠木２と支柱３の固定が同時に行え、笠木２に支柱３を固定するビス１７は支柱３の内部に納まり、ビス１７が外部に露見しないので、仕上がりの外観形状が向上すると共に、笠木２と支柱３の固定部分の防水も確保できる。
【００３２】
また、図７のように、笠木２の下面に固定した補強金具本体２２と増強材２３は、その下面が笠木取付け金具５に笠木２を被せて取付けた状態で、建物の立ち上り部１の上面に重なるので、この補強金具本体２２及び増強材２３と固定化した支柱３の、前後及び左右横方向への負荷に対する支持強度が向上することになる。
【図面の簡単な説明】
【００３３】
【図１】立ち上り部の上端に笠木を備えた手摺りの固定した状態を示す斜視図
【図２】立ち上り部の上端に笠木を備えた手摺りの固定した状態を示す縦断側面図
【図３】笠木取付け金具と笠木の分解斜視図
【図４】補強金具と笠木の分解斜視図
【図５】立ち上り部の上端に固定した笠木と補強金具を示す縦断側面図
【図６】笠木と支柱の固定部分を拡大した縦断側面図
【図７】補強金具と笠木の固定部分を拡大した縦断正面図
【図８】笠木と補強金具の固定部分を示す底面図
【符号の説明】
【００３４】
１      立ち上り部
２      笠木
３      支柱
４      手摺り
５      笠木取付け金具
６      補強金具
７      ベース板
８      笠木受け板
９      立ち上り壁
１０    ビス孔
１１    ビス
１２    係合片
１３    係合溝
１４    係止突条
１５    支持壁
１６    ビスねじ込み溝
１７    ビス
１８    ビス
１９    横格子
２０    ビス
２１    接地板
２２    補強金具本体
２３    増強材
２４    挿通孔
２５    挿通孔
２６    本体
２７    蓋部材
【図１】
2006083658.tif 000003
【図２】
2006083658.tif 000004
【図３】
2006083658.tif 000005
【図４】
2006083658.tif 000006
【図５】
2006083658.tif 000007
【図６】
2006083658.tif 000008
【図７】
2006083658.tif 000009
【図８】
2006083658.tif 000010